(57)【要約】【課題】  簡単に組み立てることができて量産に適しており、しかも、蓋を開けたときにも、内部に至るまで豊かな装飾性に富んでいる紙製化粧箱を提供すること。【解決手段】  少なくとも外面側に装飾模様12が施された紙製の長手帯板部材であって、その内側面11には、横断状に折曲げＶ形溝11ａ・11ａ…が形成され、かつ、当該帯板部材の下辺沿いには長手方向に直列する决り溝11ｂが形成されており、前記折曲げＶ形溝11ａにて直角状に折り曲げ可能である囲い枠板１と、少なくとも外面側の一部または全面に内装模様21が施された紙製の底板２との組み合わせから成り、前記囲い枠板１を折曲げＶ形溝11ａ・11ａ…にて折り曲げて形成された囲い枠板１の前記决り溝11ｂに、前記底板２の各辺縁を嵌入状態に嵌め込んで組み立てて構成するという技術的手段を採用した。【選択図】  図２
0003122099.tif 000002
【実用新案登録請求の範囲】
【請求項１】
少なくとも外面側に装飾模様12が施された紙製の長手帯板部材であって、その内側面11には、横断状に折曲げＶ形溝11ａ・11ａ…が形成され、かつ、当該帯板部材の下辺沿いには長手方向に直列する决り溝11ｂが形成されており、前記折曲げＶ形溝11ａにて直角状に折り曲げ可能である囲い枠板１と、少なくとも外面側の一部または全面に内装模様21が施された紙製の底板２との組み合わせから成り、
前記囲い枠板１を折曲げＶ形溝11ａ・11ａ…にて折り曲げて形成された囲い枠板１の前記决り溝11ｂに、前記底板２の各片縁を嵌入状態に嵌め込んで組み立てられて成ることを特徴とする紙製化粧箱。
【請求項２】
紙製の底板２の外面に施された内装模様21が、装飾シート材21ａにて被覆されることによって形成されていることを特徴とする請求項１記載の紙製化粧箱。
【請求項３】
底板２の装飾シート材21ａが、和紙、洋紙、起毛紙、樹脂含浸紙、織布、不織布、合成樹脂フィルム、板紙、金属箔、繊維質シート、発泡樹脂シート、合成紙のうち選択されたものであることを特徴とする請求項２記載の紙製化粧箱。
【請求項４】
囲い枠板１の外面における装飾模様12と、底板２の内装模様21とが同一モチーフで構成されていることを特徴とする請求項１〜３の何れか一つに記載の紙製化粧箱。
【請求項５】
囲い枠板１の外面に複数色の塗料が順次塗布して着色されており、多色刷の装飾模様12が形成されていることを特徴とする請求項１〜４の何れか一つに記載の紙製化粧箱。
【考案の詳細な説明】
【技術分野】
【０００１】
本考案は、食品容器などに用いる紙製容器の改良、更に詳しくは、簡単に組み立てることができて量産に適しており、しかも、蓋を開けたときにも、内部に至るまで豊かな装飾性に富んだ紙製化粧箱に関するものである。
【背景技術】
【０００２】
お節料理や高級弁当などを盛り付けるために用いる弁当箱や、点心箱、菓子箱、ワイン箱などの容器類は、その容器としての機能は勿論のこと、装飾性にも価値を有する工芸品として尊重されてはいるが、このような容器類も、近年の使い捨ての風潮拡大に伴って、手工業による一品製作的な工芸品から量産品へと移行してきている。とは言え、それでも製造の簡素化を図りつつも、工芸品としての風合いや高級感を求める需要が根強く残っている。
【０００３】
このような事情から、従来のように、職人の手書きなどにより表面装飾の模様付けに依るのではなく、最近、それに代わって種々の量産的技法が提案されるようになってきており、例えば、木製の容器に内箱を重ね合わせて作製したものが開示されている（例えば、特許文献１参照）。
【０００４】
しかしながら、かかる容器は構造が複雑であり、その組立作業が面倒で時間もかかってしまうため、やはり量産効率に欠けるという問題があった。
【０００５】
また、従来の一般的な容器類にあっては、外観上の装飾に重きをおくばかりに、容器内側における装飾性が軽視される傾向にあり、開封した際に何ら模様の付されていない裏側面が露呈してしまうと、折角の贈答品などであっても、どうしても安っぽい印象を与えてしまうという不満があった。
【特許文献１】登録実用新案第３０６５９１９号公報  （第５頁、第１−３図）
【考案の開示】
【考案が解決しようとする課題】
【０００６】
本考案は、従来の容器類に上記の問題点があったことに鑑みて為されたものであり、その目的とするところは、簡単に組み立てることができて量産に適しており、しかも、蓋を開けたときにも、内部に至るまで豊かな装飾性に富んでいる紙製化粧箱を提供することにある。
【課題を解決するための手段】
【０００７】
本考案者が上記課題を解決するために採用した手段を添付図面を参照して説明すれば次のとおりである。
【０００８】
即ち、本考案は、少なくとも外面側に装飾模様12が施された紙製の長手帯板部材であって、その内側面11には、横断状に折曲げＶ形溝11ａ・11ａ…が形成され、かつ、当該帯板部材の下辺沿いには長手方向に直列する决り溝11ｂが形成されており、前記折曲げＶ形溝11ａにて直角状に折り曲げ可能である囲い枠板１と、少なくとも外面側の一部または全面に内装模様21が施された紙製の底板２との組み合わせから成り、
前記囲い枠板１を折曲げＶ形溝11ａ・11ａ…にて折り曲げて形成された囲い枠板１の前記决り溝11ｂに、前記底板２の各辺縁を嵌入状態に嵌め込んで組み立てて構成するという技術的手段を採用した。
【０００９】
また、本考案は、上記課題を解決するために、必要に応じて上記手段に加え、紙製の底板２の外面に施された内装模様21を、装飾シート材21ａにて被覆することによって形成するという技術的手段を採用した。
【００１０】
更にまた、本考案は、上記課題を解決するために、必要に応じて上記手段に加え、底板２の装飾シート材21ａを、和紙、洋紙、起毛紙、樹脂含浸紙、織布、不織布、合成樹脂フィルム、板紙、金属箔、繊維質シート、発泡樹脂シート、合成紙のうち選択されたものにするという技術的手段を採用した。
【００１１】
更にまた、本考案は、上記課題を解決するために、必要に応じて上記手段に加え、囲い枠板１の外面における装飾模様12と、底板２の内装模様21とを同一モチーフで構成するという技術的手段を採用した。
【００１２】
更にまた、本考案は、上記課題を解決するために、必要に応じて上記手段に加え、囲い枠板１の外面に複数色の塗料を順次塗布して着色し、多色刷の装飾模様12を形成するという技術的手段を採用した。
【考案の効果】
【００１３】
本考案は、少なくとも外面側に装飾模様を施した紙製の長手帯板部材の内側面には、横断状に折曲げＶ形溝を形成して、かつ、当該帯板部材の下辺沿いには長手方向に直列する决り溝を形成し、前記折曲げＶ形溝にて直角状に折り曲げ可能である囲い枠板と、少なくとも外面側の一部または全面に内装模様を施した紙製の底板との組み合わせから成り、前記囲い枠板を折曲げＶ形溝にて折り曲げて形成された囲い枠板の前記决り溝に、前記底板２の各辺縁を嵌入状態に嵌め込むことによって、紙製化粧箱を組み立てることができる。
【００１４】
したがって、本考案の紙製化粧箱は、簡単に組み立てることができるので、量産に適しており、しかも、蓋を開けたときにも、底板に内装模様が施されているので、内部に至るまで豊かな装飾性が実現されていることから、非常に装飾性に富んでおり、実用的利用価値は頗る高いものがある。
【考案を実施するための最良の形態】
【００１５】
本考案を実施するための最良の形態を具体的に図示した図面に基いて更に詳細に説明すると次のとおりである。
【００１６】
本考案の実施形態を図１から図３に基づいて説明する。図中、符号１で指示するものは囲い枠板であり、この囲い枠板１は、少なくとも外面側に装飾模様12が施された紙製の長手帯板部材であって、その内側面11には、横断状に折曲げＶ形溝11ａ・11ａ…を形成し、かつ、当該帯板部材の下辺沿いには長手方向に直列する决り溝11ｂを形成して、前記折曲げＶ形溝11ａにて直角状に折り曲げ可能である（図１参照）。
【００１７】
また、符号２で指示するものは底板であり、この底板２は紙製の板体であって、少なくとも外面側の一部または全面に内装模様21が施されている。
【００１８】
本考案の紙製化粧箱を作製する具体的製造方法について以下に説明する。まず、図１に示すように、囲い枠板１は、紙製の長手帯板部材であって、その内側面11には、横断状に折曲げＶ形溝11ａ・11ａ…を形成する。この折曲げＶ形溝11ａは、工作機械を用いてＶカット削成加工して作製することができる。
【００１９】
また、同様に、前記帯板部材の下辺沿いには長手方向に直列する决り溝11ｂを削成により形成する。そして、前記折曲げＶ形溝11ａにて直角状に折り曲げ可能にする。
【００２０】
次いで、囲い枠板１の表面には、装飾模様12を形成する。本実施形態では、囲い枠板１の全体に対して、和紙などのカバー材を貼着することにより形成することもできるし、囲い枠板１の外面に複数色の塗料を順次塗布して着色し、多色刷の装飾模様12を形成することもできる。
【００２１】
なお、側壁板体１の外面には、印刷によって装飾模様12を付与することもできる。本実施形態では、当該印刷手段としてスクリーン印刷を採用するとともに、この外側面12において、複数色の塗料（例えば、白、赤、金などの顔料）を順次塗布して着色してゆき、多色刷の装飾模様12を形成することができる。
【００２２】
そして、底板２の外面の少なくとも外側面の一部または全面には内装模様21を施す。本実施形態では、この内装模様21を、装飾シート材21ａを被覆することにより構成することができる。
【００２３】
この装飾シート材21ａとしては、和紙、洋紙（中質紙、上質紙等）、起毛紙、樹脂含浸紙、織布、不織布、合成樹脂フィルム、板紙（クラフト紙）、金属箔、繊維質シート、発泡樹脂シート、合成紙のうちから選択することができ、更に、囲い枠板１の外面における装飾模様12と、底板２の内装模様21とを同一のモチーフで構成して装飾の統一性を図ることができる。
【００２４】
然る後、少なくとも外面側の一部または全面に内装模様21が施された紙製の底板２とを組み合わせて、前記囲い枠板１を折曲げＶ形溝11ａ・11ａ…にて折り曲げて形成された囲い枠板１の前記决り溝11ｂに、前記底板２の各辺縁を嵌入状態に嵌め込んで組み立てることにより、本考案の紙製化粧箱を完成することができる（図３参照）。
【００２５】
本考案は概ね上記のように構成されるが、図示の実施形態に限定されるものでは決してなく、「実用新案登録請求の範囲」の記載内において種々の変更が可能であり、例えば、囲い枠板１の折曲げＶ形溝11ａの位置や数量を変更することにより、箱体の形状は四角形に限らず、多角形のものを作製することができる。
【００２６】
また、装飾模様12および／または内装模様21は、エンボス加工によって表面に凹凸感を出したり、これにより木目などの風合いを出したりすることもでき、これら何れのものも本考案の技術的範囲に属する。
【図面の簡単な説明】
【００２７】
【図１】本考案の実施形態品の囲い枠板を表わす全体斜視図である。
【図２】本考案の実施形態を表わす説明斜視図である。
【図３】本考案の実施形態を表わす全体斜視図である。
【符号の説明】
【００２８】
１    囲い枠板
11    内側面
11ａ  折曲げＶ形溝
11ｂ  决り溝
12    装飾模様
12ａ  装飾シート材
２    底板
21    内装模様
【図１】
0003122099.tif 000003
【図２】
0003122099.tif 000004
【図３】
0003122099.tif 000005